(57)【要約】【課題】予め定められた緯度と経度によって定義されるポイント周辺で多角形エリアを定めることと、時間枠を多角形エリアと関連づけることと、地図上の領域を多角形エリアと関連づけることと、多角形エリアにより定義される地図上の領域の中で特定される１つ以上の会場を含むデータセットを作成することと、作成されたデータセットをユーザーインタフェースに出力すること、とによって会場とイベントのライブ地図を作成及び更新するシステム及び方法。そして、ユーザーインタフェース端末装置は、作成されたデータセットにある特定された１つ以上の会場に対応するデータオブジェクトを生成して、画面上にそのデータオブジェクトを表示するように構成される。【選択図】図３２Ｂ
2018512091.tif 000002
【特許請求の範囲】
【請求項１】
プロセッサと、前記プロセッサと協働するユーザーインタフェースとを具備する端末装置であって、
前記端末装置は、機械読取可能な命令を実行するように構成され、前記プロセッサは前記命令により以下のステップを実行させるように構成される、端末装置。
緯度及び経度により定義される、予め定められたポイント周辺に多角形エリアを定めるステップ
時間枠を前記多角形エリアと関連づけるステップ
地図上の領域を前記多角形エリアと関連づけるステップ
前記多角形エリアにより定義される前記地図上の領域の中で特定される１つ以上の会場を含むデータセットを作成するステップ
作成された前記データセットの中で特定された１つ以上の会場に対応するデータオブジェクトを生成するように設定される前記ユーザーインターフェース中に作成された前記データセットを出力するステップ。
【請求項２】
前記端末装置は、該当する時間枠の間に行われる時間基準のイベントを有する前記データセットのデータオブジェクトを修正するように構成されることを特徴とする、請求項１記載の端末装置。
【請求項３】
前記端末装置は、前記ユーザーインタフェース上の前記データオブジェクトの外観を変えることによって、前記データオブジェクトを修正するように構成されることを特徴とする、請求項２記載の端末装置。
【請求項４】
前記端末装置は、前記ユーザーインタフェースの画面上にフィルタ選択メニューを生成し、そして、前記フィルタ選択メニューからの１つ以上のフィルタオプションの選択を検出するように構成され、
１つ以上の前記フィルタオプションの選択を検出すると、前記端末装置は、検出された前記フィルタオプションに対応する会場とイベントだけを含むよう前記データセットを更新し、そして、更新された前記データセットに対応する前記データオブジェクトを前記ユーザーインタフェースに表示するように構成されることを特徴とする、請求項１に記載の端末装置。
【請求項５】
前記ユーザーインタフェースはモバイル端末装置の表示画面であり、生成された前記データオブジェクトが前記画面上に視覚的形式で表示されることを特徴とする、請求項１記載の端末装置。
【請求項６】
前記ユーザーインタフェースはオーディオ対応端末装置であり、そして、生成された前記データオブジェクトは可聴的形式で表示されることを特徴とする、請求項１記載の端末装置。
【請求項７】
前記端末装置は更にフィルタ選択端末装置を備え、
前記フィルタ選択端末装置は、作成されたデータセットにある１つ以上の会場に対して１つ以上のフィルタを適用するための入力を受けるように構成され、
前記プロセッサは、作成された前記データセットを再定義するために適用される１つ以上の前記フィルタに基づく機械読取可能な命令を実行するよう構成され、
前記端末装置は、再定義された前記データセットに対応する前記データオブジェクトを表示するために、前記ユーザーインタフェース端末装置に表示されるデータオブジェクトを再構成するよう構成されることを特徴とする、請求項１記載の端末装置。
【請求項８】
１つ以上の前記イベントが、緯度、経度及び時間にリンクされることを特徴とする、請求項１記載の端末装置。
【請求項９】
前記プロセッサは、時間の変化に基づいて作成された前記データセットを自動で更新するように、そして、出力装置に更新された前記データセットを出力するように構成されることを特徴とする、請求項８記載の端末装置。
【請求項１０】
前記プロセッサは、周囲に前記多角形エリアが定義される、前記予め定められたポイントの緯度と経度の変化に基づいて作成された前記データセットを自動で更新するように構成されることを特徴とする、請求項８記載の端末装置。
【請求項１１】
前記プロセッサは、前記予め定められたポイントの緯度と経度の変化に基づいて前記多角形エリアを再定義するように構成されることを特徴とする、請求項１０記載の端末装置。
【請求項１２】
前記プロセッサは、定義済みの前記多角形エリアの中で少なくとも１つのイベントを特定するように構成され、前記少なくとも１つのイベントは緯度、経度及び時間にリンクされており、そして、
前記少なくとも１つのイベントに対応するデータオブジェクトを生成するために前記出力装置に指示を出力するよう構成されることを特徴とする、請求項１記載の端末装置。
【請求項１３】
前記ユーザーインタフェースは、前記画面上に前記データオブジェクトを表示し、
前記多角形エリアが前記画面に表示されており、そして、前記データオブジェクトは前記多角形エリアの中に位置することを特徴とする、請求項１２記載の端末装置。
【請求項１４】
前記ユーザーインタフェースは表示画面を備え、前記端末装置は、前記出力装置が前記画面上に前記データオブジェクトを表示するように構成され、
前記データオブジェクトは、１つ以上の会場に対応し、
前記１つ以上の会場は、前記多角形エリアにより定義される地図上の領域の中で緯度と経度によって定義されることを特徴とする、請求項１記載の端末装置。
【請求項１５】
前記端末装置は、前記画面に表示される１つ以上の前記データオブジェクトの外観が前記ユーザーインタフェースで変更できるように構成され、
前記１つ以上のデータオブジェクトは、該当する時間枠にイベントが行われている会場に対応して変更される前記外観を具備することを特徴とする、請求項１４記載の端末装置。
【請求項１６】
前記端末装置は、前記出力装置の前記画面上にフィルタ選択メニューを生成し、そして、前記フィルタ選択メニューからの１つ以上のフィルタオプションの選択を検出するように構成され、
前記フィルタオプションの１つ以上の選択を検出すると、
前記端末装置は、前記該当する時間枠と前記選択された１つ以上のフィルタオプションとに対応する、会場とイベントの別のデータセットを少なくとも１つ生成して、そして、前記別のデータセットからのデータオブジェクトだけを示すために、前記表示画面の外観を前記出力装置で変更できるように構成されることを特徴とする、請求項１５に記載の端末装置。
【請求項１７】
前記端末装置は、前記フィルタ選択メニューからフィルタオプションの１つ以上が選択されるとその検出に基づいて、１つ以上の会場タイプ及びイベントタイプに基づく、前記別のデータセットに含まれるデータオブジェクトの数を制限するように構成されることを特徴とする、請求項１６記載の端末装置。
【請求項１８】
前記端末装置は、前記時間枠を新規な時間枠に合わせ、前記新規な時間枠に関連するデータオブジェクトだけを表示するために、第３のデータセットのデータオブジェクトを再構成するように構成されることを特徴とする、請求項１６記載の端末装置。
【請求項１９】
イベントに基づいて表示画面を再構成する方法であって、端末装置のプロセッサによる、機械読取可能な１つ以上の命令を実行するように構成され、
前記命令により端末装置に以下のステップを実行させる、方法。
予め定められたポイント周辺で多角形エリアを定め、前記ポイントは緯度と経度とによって定義されるステップ
時間枠を前記多角形エリアと関連づけるステップ
地図上の領域を前記多角形エリアと関連づけるステップ
前記多角形エリアにより定義される前記地図上の領域の中で特定される１つ以上の会場を含むデータセットを作成するステップ
作成された前記データセットの中で特定された１つ以上の会場に対応するデータオブジェクトを生成するように設定される前記ユーザーインターフェース中に作成された前記データセットを出力するステップ。
【請求項２０】
前記端末装置が機械読取可能な前記命令を実行すると、前記端末装置は、前記ユーザーインタフェースの前記画面上に前記フィルタ選択メニューを生成して、そして、前記フィルタ選択メニューからの１つ以上の前記フィルタオプションの選択を検出し、
前記端末装置は、１つ以上の前記フィルタオプションの選択を検出すると、検出された前記フィルタオプションに対応する会場とイベントだけを含む前記データセットを再定義して、そして、前記ユーザーインタフェースに、更新された前記データセットに対応する前記データオブジェクトを表示するために前記ユーザーインタフェースを更新させるように、構成されることを特徴とする、請求項１９記載の方法。
【発明の詳細な説明】
【技術分野】
【０００１】
本開示内容は、フィルタリング処理された情報を表示するシステムに関し、具体的には、ユーザーインターフェースのための、会場とイベントの地図インターフェースを決定し生成するシステムに関する。
【背景技術】
【０００２】
インターネットの利用において著しく成長している分野の１つに、フィルタリング処理された情報の表示システムがある。
具体的には、総合的な情報を時間(time)と場所(place)とでフィルタリング処理してユーザーに提供することが重要となってきている。例えば、モバイル機器（例えば携帯電話）を使用しながら街角に立つ人がいるとして、その人は、あるエリア（例えばその電話の周辺）で、どんなイベントや催し（アクティビティー）に参加できるか知りたくなるかもしれない。別の例として、モバイル機器を所持する人が、特定の期間、特定の日、特定の会場で、どんなイベントが開催されているか知りたいと望むかもしれない。
現在は、会場とイベントに関して、予め保存された変化しない情報を提供するシステムが一般的である。
しかし、イベントや活動に関して、時間と位置とでフィルタリングして最新かつリアルタイムに情報を提供できれば便利である。
【先行技術文献】
【特許文献】
【０００３】
【特許文献１】米国特許第７６８８３２２号
【特許文献２】米国特許出願公開第２００６／０１０１００号
【発明の概要】
【発明が解決しようとする課題】
【０００４】
現在のデジタルマッピングシステムは、サーバから情報を読み出し、その情報をデジタル地図に重ね合わせて表示するために開発された。ユーザーが地図を使用しながらサーチエンジンを起動すると、データベースに対する検索語やクエリに関連する位置の履歴情報及び文書情報に基づいて、情報が表示される。デジタル地図の中には、地図に表示される情報（例えば、交通拠点やよく知られた会場）を提供することができるものもある。しかしながら、この種の情報は、時間が経過しても動的に変化したり更新されたりすることはない。
【０００５】
米国特許第７６８８３２２号は、地図上でデータの可視化するシステムを開示する。米国特許出願公開第２００６／０１０１００号に記載されているような他の研究では、位置について、時間と関係するデジタル情報を提供する。
しかしながら現時点では、会場とイベントのデータを収集し、そのデータを記録し、まとめ、更に、モバイル端末装置（モバイルコンピューティングデバイス）の位置追跡及び時間追跡機能を用いて、役立つ使い勝手が良いインタフェースの表示を提供する機関やサービスはない。
【０００６】
特に、現在のシステムは、画面上に位置情報と時間情報を共に示すことができるようなフォーマットで必要なデータを集め、記録し、まとめることはできない。
端末装置の内部クロックと位置情報追跡機能とを用いて、特定の時間における任意の会場で利用可能なイベント情報を、フィルタリングして検索できると便利である。
【０００７】
したがって、上記にて特定される課題のうちの、少なくともいくつかに対処するシステムを提供することが望まれる。
【０００８】
本明細書に記載されるように、例示的な実施形態により、従来技術において公知の上記又は他の問題点の１つ以上を克服する。
【０００９】
開示された実施例の態様（本実施態様）により、フィルタリング処理された情報を生成し、そのフィルタリング処理された情報を表示するために改良されたシステムを提供する。開示された実施例が解決使用とする課題は、独立クレームの要旨によって解決される。従属クレームにおいては、更に有利な変形例を備えることができる。
【課題を解決するための手段】
【００１０】
開示された実施例の第１の態様によれば、端末装置により、上記及び、更なる目的と利点とが得られる。
１つの実施例において、端末装置は、プロセッサと、プロセッサにつながるユーザーインタフェースを含む。プロセッサに機械読取可能な命令を実行して、予め定められた位置（例えば、緯度及び経度によって定義される位置）周辺の多角形エリアを定めさせ、時間枠をその多角形エリアと関連させ、そして地理的領域をその多角形エリアと関連させて、さらにその多角形エリアによって定義される地理的領域の中で特定される１つ以上の会場を含むデータセットを作成して、作成されたデータセットをユーザーインタフェースに出力するように端末装置は構成される。そして、ユーザーインタフェース端末装置は、作成されたデータセットにある特定された１つ以上の会場に対応するデータオブジェクトを生成するように構成される。例えば、データオブジェクトを端末装置のユーザーインタフェースに表示することができる。
【００１１】
本実施態様は、好ましくは、イベントが開催されている会場の「ライブ」地図を提供する。地図は時間に基づいており、地図の表示は時間が過ぎれば再構成される。特定のタイプのイベントが開催されている会場を特定するために、素早くエリア（例えば近隣）を調べることができる。
【００１２】
このように第１態様による端末装置の第１の考えられる実施形態において、端末装置は、例えばスマートフォンといった移動通信機である。携帯機器を介して、本実施態様に容易にアクセスし利用することができる。
【００１３】
このような第１態様による端末装置の第２の考えられる実施形態において、端末装置は、表示画面を備えた端末装置である。例えば、コンピュータ及びスマートディスプレイを使用して、本実施態様にアクセスすることができる。
【００１４】
このような第１態様による端末装置の第３の考えられる実施形態又は、このような第１態様の第１及び第２の考えられる実施形態のいずれかにおいて、端末装置は携帯情報端末機器である。例えばタブレット、ファブレット、時計や、ネットワーク（例えばインターネット）に接続可能な他の任意の端末装置を使用して、本実施態様にアクセスすることができる。
【００１５】
このような第１態様の第２及び第３の考えられる実施形態のいずれかによる端末装置の第４の考えられる実施形態において、表示画面（ディスプレイ）は端末装置から離れた位置に配置されるユーザーインタフェースである。本実施態様では、例えば端末（ホテル又は交通拠点の端末）を使用してアクセスすることができる。
【００１６】
このような第１態様の第３及び第４の考えられる実施形態による端末装置の、第５の考えられる実施形態において、端末装置はキオスク型配置（店舗）の一部分である。本実施態様には、例えばスマート端末や、モール又は街角のキオスクを使用してアクセスすることができる。
【００１７】
このような第１態様による端末装置の第６の考えられる実施形態又は、このような第１態様の第１乃至第５の考えられる実施形態のいずれかにおいて、端末装置は、該当する時間枠に行われている時間基準のイベントを有するデータセットのデータオブジェクトを修正するように構成される。
【００１８】
会場及びイベントが開催されている会場を、画面上にデータオブジェクトとして表示することができる。本実施態様によると、指定の時間枠にイベントが行われている会場を強調することによって、イベントが開催されている会場と、他の会場とを区別できるようにする。時間が変化すると、データセットのデータオブジェクトも変化し、ユーザーインタフェースが更新される。そして、イベントが開催されている会場と、（他の）会場との、最新又は微小時間基準の表示をユーザーに提供する
【００１９】
このような第１態様の第１乃至第６の考えられる実施形態のいずれかよる端末装置の、第７の考えられる実施形態において、端末装置は、ユーザーインタフェース上のデータオブジェクトの外観を変えることによってデータオブジェクトを修正するように構成される。データオブジェクトは、いずれの方法（例えば外観の修正）を用いてでも修正することができる。
その結果、他の適用されたフィルタを一緒に用いて、指定の時間枠にイベントが行われていない会場を表すデータオブジェクトと、イベントが行われている会場を表す他のデータオブジェクトとを区別することができる。
【００２０】
本実施態様によると、指定された時間枠にイベントが行われている会場を強調することによって、イベントが開催されている会場と、（他の）会場とを、区別することが可能となる。これにより、特定の会場を特定することがさらに容易となる。
【００２１】
このような第１態様又は、第１乃至第７の考えられる実施形態のいずれかによる端末装置の、第８の考えられる実施形態において、端末装置は、ユーザーインタフェースの画面上にフィルタ選択メニューを生成し、フィルタ選択メニューからのフィルタオプションの１つ以上の選択を検出するように構成される。そして、１つ以上のフィルタオプションの選択を検出すると、端末装置は、指定の時間枠に検出されたフィルタオプションに対応する会場とイベントだけを含むようにデータセットを更新し、更新されたデータセットに対応するデータオブジェクトを表示するためにユーザーインタフェースを更新又は修正するように構成される。
【００２２】
本実施態様では、ドリルダウン形式のフィルタメニュー及び選択プロセスを提供する。ユーザーは、会場のタイプ及びイベントによって会場にフィルタをかけることができ、そして、ユーザーインタフェースは、選択されたフィルタオプションに対応する会場とイベントだけを示す。
【００２３】
このような第１態様の第１乃至第８の考えられる実施形態のいずれかによる端末装置の、第９の考えられる実施形態において、フィルタ選択メニューの初期状態では、時間枠に基づいて作成されたデータセットの、初期状態のデータセットで見込まれる全ての種類の会場とイベント用のフィルタ選択アイコンを提供する。指定の時間枠を前提として、一般的に初期状態のデータセットは、一定のエリア内すべての見込まれる会場を含む。
【００２４】
特定された会場に対応する見込まれる全てのオプションは、フィルタメニューで利用可能となる。フィルタが選択され適用されると、対応する会場と、指定された時間枠にイベントが行われている会場とを含むように、初期状態のデータセットは変更される。
【００２５】
このような第１態様の第１乃至第９の考えられる実施形態のいずれかによる端末装置の、第１０の考えられる実施形態において、フィルタ選択メニューのフィルタ選択アイコンの１つ以上の選択を検出して、選択された１つ以上フィルタ選択アイコンに対応する会場とイベントだけを含むように初期状態の時間基準のデータセットを再構成して、再構成されたデータセットに対応するデータオブジェクトを表示するためにユーザーインタフェース端末装置上のデータオブジェクトの表示を再構成するように、端末装置は構成される。
【００２６】
フィルタが選択されると、検出されたフィルタの選択に対応する会場だけを示すために、地図インターフェース及び地図の表示が更新される。指定の期間に所望のイベントが開催されている会場を特定するために、より効率的かつ高速な方法が提供される。
【００２７】
このような第１の態様の第１０の考えられる実施形態による端末装置の、第１１の考えられる実施形態において、端末装置は、ユーザーインタフェース端末装置に表示される再構成されたデータセットのデータオブジェクトを強調するように構成される。本実施態様によれば、指定の期間に所望のイベントが開催されている会場を特定するのが容易となる。
【００２８】
このように第１態様による端末装置の第１２の考えられる実施形態において、端末装置はフィルタ選択端末装置を含み、
前記フィルタ選択端末装置のプロセッサは、作成されたデータセットを再定義するために適用される１つ以上フィルタに基づく機械読取可能な命令を実行するよう構成され、
前記フィルタ選択端末装置は、
作成されたデータセットにある１つ以上の会場に対して１つ以上のフィルタを適用するための入力を受けるように、そして、
再定義されたデータセットに対応するデータオブジェクトを表示するために、ユーザーインタフェース端末装置に表示されるデータオブジェクトを再構成するように構成される。
【００２９】
画面に表示される最初のデータセットは、所定の時間枠に多角形エリア内で利用可能なすべての会場を示す。また、表示される利用可能な会場に当てはまるすべての有効なフィルタオプションを特定するフィルタメニューが表示される。
【００３０】
ユーザーは、示される会場の分野を絞るために、１つ以上のフィルタオプションを選択することができる。フィルタの選択が行われると、フィルタの選択に対応する会場とイベントだけを含むよう、ドリルダウン形式で、データセットは再構成される。
【００３１】
このような第１態様の第１２の考えられる実施形態による端末装置の、第１３考えられる実施形態において、１つ以上のフィルタから１つのフィルタが選択されると、対応する会場とイベントに対応するフィルタオプションだけをプロセッサが表示するようフィルタ選択メニューを再構成するようにする。
【００３２】
フィルタメニューは初期状態では、ユーザーインタフェースに表示される、すべての利用可能な会場タイプとイベントタイプとに対するフィルタを含む。
例えばレストランのフィルタを選択すると、レストランだけを示すために、プロセッサがユーザーインタフェースを更新するようにする。
【００３３】
所定又は指定の時間枠であって、レストランに関係しており、そして多角形エリアに示されるその特定されたレストランで行われているイベントに関するフィルタオプションのみを示すために、フィルタの選択端末装置がフィルタメニューを再構成する。
【００３４】
前述の考えられる実施形態のいずれかによる端末装置の、第１４の考えられる実施形態において、１つ以上のイベントは、緯度、経度及び時間と関連している。
【００３５】
示された実施例の態様によるとユーザーは、特定のタイプのイベントが開催される会場を特定するだけでなく、その特定されたイベントが開催される日時によっても会場を特定することができる。
【００３６】
このように、イベントが行われる会場が変化すると、データセットが更新されるので、指定のエリアのための本実施態様を使用して生成される地図を、その時々で異なるように見せることができる。
【００３７】
前述の考えられる実施形態のいずれかによる端末装置の第１５の考えられる実施形態において、プロセッサは、時間の変化に基づいて作成又は再構成されたデータセットを自動で更新し、ユーザーインタフェースに更新されたデータセットを出力するように構成される。
【００３８】
時間の変化は、端末装置の内部クロックによるか、又は、時間フィルタを手動で設定又は調整するユーザーにより確定される、時間における１つ以上の変化を基準とし得る。
【００３９】
時間が過ぎると、異なる会場でイベントが発生するよう変化する。このように、端末装置のユーザーインタフェース上の、データオブジェクトを介したデータセットの表示は、時間が過ぎると変化する。
【００４０】
イベントが変化すると、本実施態様により、データセット及びデータオブジェクトが自動で更新され、そして、画面上に、データオブジェクトの現在のデータセットを表示するためにユーザーインタフェースが修正される。
【００４１】
第１５の考えられる実施形態による端末装置の第１６の考えられる実施形態において、プロセッサは、周辺に多角形エリアが定められる予め定められた位置の緯度と経度の変化に基づいて、作成されたデータセットを自動で更新するよう構成される。
【００４２】
端末装置の位置が変更されたり、変化すると、端末装置のユーザーインタフェース上の多角形エリアにより定義されるエリアは自動的に更新される。
【００４３】
位置変化及び情報は、端末装置の位置情報表示機能を用いて、端末装置自体で確定し設定することができるか、又は特定された位置又はエリアを定めるユーザーが手動で調整することができる。
【００４４】
端末装置の位置や、端末装置の所望の位置が変化すると、更新された位置の周辺の会場とイベントも変化する。
【００４５】
本実施態様によると、現時点で端末装置を囲っている、予め定められているか定義済みの領域の中に会場を含むように、端末装置の位置変化を自動的に検出し、会場とイベントのデータセットを更新して、ならびに設定された時間フィルタと、フィルタ選択メニューから選択されるフィルタとに基づいて、開催イベントを更新する。
【００４６】
このような第１の態様による端末装置の第１７の考えられる実施形態において、プロセッサは、定義済みの多角形エリア内で少なくとも１つのイベントを特定して（少なくとも１つのイベントは緯度、経度及び時間に関連する）、そして、その少なくとも１つのイベントに対応するデータオブジェクトを生成するために出力装置に指示を出力するよう構成される。
【００４７】
初期状態のデータセットでは、ユーザーインタフェース上のデータオブジェクトとして、指定の時間枠の、すべての会場及び、その会場で行われているすべてのイベントを表示することができる。例えば時間枠又はイベントカテゴリといったフィルタが使用されると、イベントが時間枠に開催されている会場だけが表示される。更にフィルタが使用されると、データセットは更に絞り込まれ、限定される。
【００４８】
第１７の考えられる実施形態による端末装置の、第１８の考えられる実施形態において、ユーザーインタフェースは画面上にデータオブジェクトを表示する。そして、多角形エリアが画面に表示され、データオブジェクトはその多角形エリアの中に位置する。
本実施態様によると、地図オーバーレイディスプレイのような表示画面を含むユーザーインタフェース上に、会場とイベントを表すデータオブジェクトを表示する。
【００４９】
このような第１態様による端末装置の、第１９の考えられる実施形態において、ユーザーインタフェースは表示画面を備え、そして端末装置は、画面上のデータオブジェクトを出力装置に表示させるように構成される。そして、データオブジェクトは、１つ以上の会場に対応し、その１つ以上の会場は、多角形エリアによって定義される地理的領域の中で緯度と経度及び時間によって定義される。
【００５０】
本実施態様によると、会場は画面上にデータオブジェクトとして表示される。また、会場をアイコンを用いて表現することができ、アイコンの位置は、多角形エリア内の会場の位置である。
【００５１】
このような第１態様の第１９の考えられる実施形態による端末装置の、第２０の考えられる実施形態において、端末装置は、画面に表示される１つ以上のデータオブジェクトの外観がユーザーインタフェースで変更できるよう構成される。その１つ以上のデータオブジェクトは、該当する時間枠にイベントが行われている会場に対応して変更される外観を備える。
【００５２】
選択された時間枠にイベントが開催されている会場に関しては、ユーザーがこの種のイベントをさらに容易かつ素早く特定できるようにいずれかの方法で強調される。
【００５３】
このような第１の態様の第２０の考えられる実施形態による端末装置の、第２１の考えられる実施形態において、端末装置は、出力装置の画面上にフィルタ選択メニューを生成して、フィルタ選択メニューからのフィルタオプションの１つ以上の選択を検出するように構成される。そして、１つ以上のフィルタオプションの選択を検出すると、端末装置は、該当する時間枠と選択された１つ以上のフィルタオプションとに対応する、会場とイベントの別のデータセットを少なくとも１つ生成して、そして、この新規又は変更されたデータセットに対応するデータオブジェクトだけを示すために、表示画面の外観を出力装置で変更できるよう構成される。
【００５４】
本実施態様によると、ドリルダウン形式のフィルタメニューを備える。メニューのフィルタは、表示画面に現時点で表示される会場とイベントに対応する使用可能なオプションの全てを表示する。フィルタが選択されると、選択されたフィルタに関連する会場とイベントだけが表示される。
【００５５】
このような第１の態様の第２１の考えられる実施形態による端末装置の、第２２考えられる実施形態において、端末装置は、フィルタ選択メニューからフィルタオプションの１つ以上が選択されるとその検出に基づいて、１つ以上の会場タイプ及びイベントタイプに基づくデータセットに含まれるデータオブジェクトの数を制限するように、構成される。
【００５６】
好ましい実施態様によれば、フィルタが選択されると画面に表示されるデータオブジェクトのデータセット（会場とイベント）は、利用可能なデータオブジェクトだけに限定される。このことにより、ユーザーインタフェースに表示される情報量を少なくし、計算リソースを節約して、関連情報の特定を素早くできるようにする。
【００５７】
このように第１の態様の第２１及び第２２の考えられる実施形態による端末装置の、第２３の考えられる実施形態において、端末装置は、時間枠を新規な時間枠に合わせ、新規な時間枠に関連するデータオブジェクトだけを表示するために、新規又は変更されたデータセットのデータオブジェクトを再構成するように、構成される。
【００５８】
時間枠の変化又は調整は、端末装置の内部クロックの時間における検出された変化に基づくか、又は、時間フィルタを調整するユーザーが行うことができる。
好ましい実施態様によれば、選択された時間枠に基づく会場とイベントの表示を、変更及び更新する。
【００５９】
会場で開催されるイベントは時間基準のイベントであるので、時間が異なれば会場とイベントの表示は異なるように構成される。
【００６０】
このような第１の態様による端末装置の、第２４の考えられる実施形態において、イベントと会場のデータを単一の分類データセットに組み込むことによって、本実施態様により、特有の方法でコンテンツを構造化する。
【００６１】
このような第１の態様による端末装置の第２５の考えられる実施形態において、本実施態様によると、デフォルトの表示にフィルタをかけるために、端末装置の位置追跡機能及び内部クロックを使用する。
【００６２】
このような第１の態様による端末装置の第２６の考えられる実施形態において、本実施態様では、フィルタ「ドリルダウン」形式を有効とする。
本実施態様によると、タグをベースとしたオーバレイの表示及びフィルタシステムは、会場と時間に基づいてあらゆる会場とイベントとを表す、構造化された生のデータセットを表す。
【００６３】
このように第１の態様による端末装置の第２７の考えられる実施形態において、オープンプラットフォーム、ユーザー間の対話、及びコンテンツ・インターフェース・エクスペリエンス（ユーザーが生成したコンテンツの追加、コンテンツのセーブ及びシェア、ユーザー嗜好の追跡を含む）は、プラットホーム上のコンテンツの関連度及びユーザービリティの新しい層を組立て、作成できるようにする。
【００６４】
第２の態様によれば、開示された実施例の方法及びシステムは、以下のステップを含むことを特徴とする。
イベント及び会場についてデータを獲得するステップ
単一の分類法及びタグシステム下でデータを構造化するステップ
フィルタ情報に対して、位置及び時間を追跡するために端末装置の機能を適用するステップ
【００６５】
アルゴリズム論理により、フィルタ及びビジュアルオーバーレイを生成するステップ。
１つ以上の時間、会場タイプ及びイベントタイプにフィルタリングするための、プラットホームにおけるユーザーアクション。
【００６６】
第３の態様によれば、開示された実施例のシステム及び方法は、端末装置の位置情報表示機能と端末装置の内部クロックの時間とを用いて、モバイル端末装置に表示されるデジタル地図を生成することを含む。
【００６７】
このような第３の態様の第１の実施形態において、システム及び方法は、地図上に位置データの視覚的形式で表示されることを含む。
【００６８】
このような第３の態様の前述の実施形態のいずれかの第２の実施形態において、システム及び方法は、地図インターフェース上に、フィルタのかかっていない完全な情報を表示することを含む。
【００６９】
このような第３の態様の前述の実施形態のいずれかの第３の実施形態において、システム及び方法は、地図インターフェース上の内容に重ね表示（オーバーレイ）をかけることを含む。そしてその内容は自動的に生成されて、動的に更新され、エンドユーザーからの入力は必要としない。
【００７０】
このような第３の態様の前述の実施形態のいずれかの第４の実施形態において、システム及び方法は、少なくとも端末装置の会場と時間に基づく地図のトップで、情報の層を生成するために、端末装置の内部機能を使用するデジタル地図を提供する。
【００７１】
このような第３態様の前述の実施形態のいずれかの第５の実施形態において、見えている地図エリア周辺の情報を集めるのに、ユーザーによる入力は必要でない。
【００７２】
このような第３態様の前述の実施形態のいずれかの第６の実施形態において、地図及びタグは、端末装置の位置と時間とに基づいて、ユーザーの入力がなくても自動的に生成される。
これにより好ましくは、ユーザーが何れかの形式で情報をサーチ又は入力する必要性を低減又は除外する。
【００７３】
このような第３態様の前述の実施形態のいずれかの第７の実施形態において、地図を用いた情報を視覚的に表示して、重ねて表示するために、本実施態様は、タイル型インタフェースを有する地図を提供する。
【００７４】
例示的な実施形態のこれらの、そしてまた他の態様及び利点は、添付図面と合わせて検討される以下の詳細な説明より明らかとなる。
【００７５】
しかしながら図面は、本発明の特許請求の範囲を定義するものではなく、単に説明することのみを意図していると理解すべきであり、参照は添付の請求の範囲になされるべきでる。
【００７６】
更なる態様及び利点は、以下の詳細な説明に記載され、一部、詳細な説明より明らかとなるか、又は実施例から理解される。
さらに実施態様及び利点は、添付の請求の範囲において特に指し示される手段及び組合せにより、理解され獲得することができる
本開示内容の以下の詳細部において、図面に示される例示の実施例を参照しながら更に詳しく説明する。
【図面の簡単な説明】
【００７７】
【図１】本実施態様を組み入れる例示的なプロセスのブロック図
【図２】本実施態様を組み入れるシステム及び端末装置のための例示的な地図インターフェース
【図３】本実施態様を組み入れるシステム及び端末装置のための例示的な地図インターフェース
【図４】本実施態様を組み入れるシステム及び端末装置のための例示的な地図インターフェース
【図５】本実施態様を組み入れるシステム及び端末装置のための例示的な地図インターフェース
【図６】本実施態様を組み入れるシステム及び端末装置のための例示的な地図インターフェース
【図７】本実施態様を組み入れるシステム及び端末装置のための例示的なナビゲーションメニュー
【図８】本実施態様を組み入れるシステム及び端末装置のための例示的なサーチインターフェース
【図９】本実施態様を組み入れるシステム及び端末装置のための例示的なフィルタメニュー
【図１０】本実施態様を組み入れるシステム及び端末装置のための例示的なフィルタメニュー
【図１１】本実施態様を組み入れるシステム及び端末装置のための例示的なフィルタメニュー
【図１２】本実施態様を組み入れるシステム及び端末装置のための例示的なプロファイルインタフェース
【図１３】本実施態様を組み入れるシステム及び端末装置のための会場とイベントの例示的なリストビュー
【図１４】本実施態様を組み入れるシステム及び端末装置のための例示的な地図インターフェース
【図１５】図１４の地図インターフェース上の例示的な会場情報パネル
【図１６】本実施態様を組み入れるシステム及び端末装置のための例示的な会場情報インタフェース
【図１７】本実施態様を組み入れるシステム及び端末装置のための例示的な会場情報インタフェース
【図１８】本実施態様を組み入れる例示的なプロセスのブロック図
【図１９】本実施態様を組み入れるシステムのための例示的なデータ収集プロセスのブロック図
【図２０】会場とイベントのための例示的な属性を図示するブロック図
【図２１】本実施態様を組み入れる例示的なフィルタメニューを生成するためのプロセスを図示するブロック図
【図２２】本実施態様を組み入れるシステム及び端末装置のための例示的なユーザーインタフェース（２２Ａ、２２Ｂ、２２Ｃ）
【図２３】本実施態様を組み入れるシステム及び端末装置のための例示的なユーザーインタフェース（２３Ａ、２３Ｂ、２３Ｃ）
【図２４】本実施態様を組み入れるシステム及び端末装置のための地図インターフェース上のデータオブジェクトの例示的な表現
【図２５】本実施態様を組み入れるシステム及び端末装置のための例示的な時間フィルタ
【図２６】本実施態様を組み入れるシステム及び端末装置のための例示的な時間フィルタの用途
【図２７】本実施態様を組み入れるシステム及び端末装置のためのコンテンツの関連度の例示的な確定
【図２８】本実施態様を組み入れるシステム及び端末装置のための地図インターフェースに、コンテンツをどのように表現することができるかの実施例
【図２９】本実施態様を組み入れるシステム及び端末装置のためのドリルダウンメニューの例示的な応用
【図３０】本実施態様を組み入れるシステム及び端末装置のためのスクロール可能なリストの用途
【図３１】本実施態様を組み入れるシステム及び端末装置のための時間フィルタの応用
【図３２Ａ】本実施態様を組み入れ、応用される用途を図示する端末装置上のスクリーンショット
【図３２Ｂ】本実施態様を組み入れ、応用される用途を図示する端末装置上のスクリーンショット
【図３２Ｃ】本実施態様を組み入れ、応用される用途を図示する端末装置上のスクリーンショット
【図３２Ｄ】本実施態様を組み入れ、応用される用途を図示する端末装置上のスクリーンショット
【図３２Ｅ】本実施態様を組み入れ、応用される用途を図示する端末装置上のスクリーンショット
【図３２Ｆ】本実施態様を組み入れ、応用される用途を図示する端末装置上のスクリーンショット
【図３２Ｇ】本実施態様を組み入れ、応用される用途を図示する端末装置上のスクリーンショット
【図３２Ｈ】本実施態様を組み入れ、応用される用途を図示する端末装置上のスクリーンショット
【図３２Ｉ】本実施態様を組み入れ、応用される用途を図示する端末装置上のスクリーンショット
【図３２Ｊ】本実施態様を組み入れ、応用される用途を図示する端末装置上のスクリーンショット
【図３２Ｋ】本実施態様を組み入れ、応用される用途を図示する端末装置上のスクリーンショット
【図３２Ｌ】本実施態様を組み入れ、応用される用途を図示する端末装置上のスクリーンショット
【図３２Ｍ】本実施態様を組み入れ、応用される用途を図示する端末装置上のスクリーンショット
【図３２Ｎ】本実施態様を組み入れ、応用される用途を図示する端末装置上のスクリーンショット
【図３２Ｏ】本実施態様を組み入れ、応用される用途を図示する端末装置上のスクリーンショット
【図３２Ｐ】本実施態様を組み入れ、応用される用途を図示する端末装置上のスクリーンショット
【図３３】本実施態様を実践するために用いることができる端末装置のための例示的なアーキテクチャ
【発明を実施するための形態】
【００７８】
本実施態様は、位置情報及び時間データを用いて、会場とイベントデータを表示するためのシステム及び方法を提供することを目的とする。
【００７９】
「ライブ」インタフェースは、位置及び時間基準のデジタル地図に対する重ね表示の形式で設けられる。本実施態様は、イベントが開催されうる会場を特定し、そして更に、特定のイベント（又は特定のイベントタイプ）が特定の期間内に開催されている会場だけを示すよう、会場の表示を制限し更新する。
【００８０】
時間データと端末装置の位置データを併用することにより、イベントと会場のデータを端末装置の画面に表示することができる。一つの具体例としては、会場とイベントデータの内容は地図インターフェース上に重ねて表示される。そして、イベントデータの内容は自動的に生成されかつ動的に更新され、エンドユーザーからの入力は必要としない。時間が変化するにつれてイベントデータの内容も変化する。結果として、地図は常に更新される。
【００８１】
図１には、本実施態様の例示的なプロセスが示されている。この例では、会場とイベントデータのデータベースが作成される（１０２）。本明細書において一般に「会場（venue)」とは、特定の会場に対する一組の情報として定義される会場を意味する。会場はイベントを開催することができる物理的位置である。会場とは、以下の方法によって、又は以下の１つ以上の方法の中で表される位置を意味する。
−特定された緯度及び経度における、
−屋内又は屋外エリア又は
−施設
【００８２】
上記の例は単に代表的なものにすぎず、会場を記述するのにふさわしいいずれの方法をも含むことができる。会場を表す位置データは、例えば地図上でその会場の位置が特定でき、プロット可能な地理座標、住所又は他の空間データの内の１つ以上を含む。
【００８３】
「イベント」は、所定の空間における活動の発生を表す保存されたいずれかの情報を意味する。「イベント」は、特定の時間枠又は特定の時刻において、ある会場に存在又は開催される 何か である。活動は、開催可能であるか又は会場に関連し得る、あらゆる適切なイベント又は活動も含むことができる。
【００８４】
時間とともに変化する物理的なものを表す情報は、いたるところにある。空間のプロパティと時間のプロパティとを含むという点で、この情報はユニークであり、物理的な発見という特定された目的を有する。例えば、レストラン、バー、公園、駐車場、ハイキングコース、また、その他の会場は、物理的位置であり、有体物である。これらの会場又は位置に関連した情報を属性として保存することができ、そして、いつその情報がこの位置でアクセス可能かという時間的プロパティをも包含する、プロパティ（特定された空間境界）を含む。この情報は、例えば、ライブミュージック又はショッピングセールが行われている位置、又はその周辺で開催されているイベントを含むこともできる。情報は、開催時間、又は他のキーとなりうるプロパティ（例えばメニュー、活動及び予定される提供物）を含む。
【００８５】
例えば、発表された時間（情報が利用可能となった時間を意味する）、発生時間（情報がスペース又は位置に関連する（情報の内容が発生する）時間を意味する）及び、空間又は位置基準の情報の境界といった、パラメータを含むために、会場とイベント情報を、とらえ、保存し、正規化することができる。
【００８６】
通常一般公開され、あるいはアクセス可能である多くのソースから、情報を１つのデータセットに集め、処理することができる。例えば、一般公開されているすべての情報チャネルを含むことができる。そして、ウェブサイトに公開される情報（例えばウェブでのお知らせ、メディアの発信、又は本明細書で記載されるプラットホーム及びシステムのユーザーから受け取る情報）を含む。情報は、電子メールの通知やその他世の中に存在するあらゆる公的な手段を通じて入手される情報からも、集めることができる。
【００８７】
多角形エリアが定められる。（１０４）
本明細書に記載されるように、本実施態様により、会場及びイベント会場のデジタル地図を作成するために用いられるインタフェース又はオーバレイが作成される。実施例において、多角形エリアは一般的には、緯度と経度の形で地理座標により定義される。別の実施例では、いずれの適当数及びいずれのタイプの変数も、多角形エリア又は領域を定めるために用いることができる。
これらの変数（例えば地理座標）は、ユーザーにより設定されることができるか、又は端末装置の位置（又は所望の位置）に基づいて、自動的に決定されることができる。
実施例において、本明細書に更に記載されるように、多角形エリアは、ビジュアル形式で設けることができる。（例えば端末装置の画面上の地図インターフェース）
【００８８】
実施例において、最初の時間枠又は期間が設定される。（１０６）
本実施態様では、端末装置の内部クロックか、又は、ユーザーの操作によって時間枠が設定される。例えば、本実施態様によると、ユーザーは端末装置の表示画面を通してフィルタ操作を行って、起動時刻と終了時刻を調整できるようにする。この時刻の調整は、結果としてデータセットの自動的な（時間枠の）フィルタリング設定となる。本実施態様によると、緯度、経度及び時間に関して、ある会場で行われるイベントを定めることができる。開示された実施例のシステム及び端末装置によって生成される会場とイベントの地図は、時間とともに変化する。このように、ある時点におけると他の時点（過去又は未来）における地図とは、異なっているように見えることもある。
【００８９】
イベントデータセット（会場データ及び、イベントデータを備える会場を特定するための多角形エリアにより定義される）が作成される。（１０８）
本明細書において記載されるように、定義された時間枠に多角形エリアの中で利用できる会場は、特定されるか、又は、イベントが開催されている会場とリンクされる。多角形エリアにデータセットが、アイコン又はデータオブジェクトを用いて表現されることができる。
【００９０】
データセットがユーザーインタフェース（例えば表示画面）に出力される。（１１０）
データセットの情報は、ビジュアル形式、リスト形式、テキスト形式、又はユーザーに情報を表示するのに適した任意の方法で表示される。実施例において、会場及びイベントが行われる会場を表すためにデータオブジェクトが用いられる。データオブジェクトは出力され画面に表示される。会場及びイベントが行われる会場は、グラフィカル・オブジェクト（例えば画面上のアイコン）を用いて表現されることもできる。
１つの例として、後述するように本明細書において、所定の時間における、会場とイベントが行われる会場に関係する完全な情報は、編集され、属性（特徴のある分類）ごとに分類される。それから、会場及び時間を基準とした属性ごとの分類は、ビジュアル（視覚的）表示、例えばデジタル地図のためのオーバレイとして表示される。
【００９１】
本実施態様によると、データセットに１つ以上のフィルタを適用することができる。
データセットの情報ならびに会場とイベントの他の特徴及び属性のグループを類別する分類を介して、データセット内の項目に、ファセット化されたアプローチによって更にフィルタをかけることができる。例えば、時間と会場とでフィルタをかけられたデータセットは、他のカテゴリやカテゴリ化と一緒に、レストランの会場のカテゴリを含むことができる。ユーザーは、追加フィルタ「レストラン」を追加することができ、それから時間とスペースとレストランのフィルタとに基づいて新しく作成又は更新されたデータセットから、更新された情報を受け取ることができる。データセットからの情報と、例えば端末装置の表示画面に関するその情報の表現とを操作及び変更するために、ユーザーはフィルタを追加したり、取り除くことができる。
【００９２】
後述するように本明細書において「フィルタ」は、会場の物理的空間、又はイベントのタイプに関連する「条件」を通常利用する。
現時点の情報のデータセットにフィルタが適用されるたび、新しいデータセットが作成される。（１１４）
新規なデータセット（一般的に上記に記載されるような方法で編集される）は、出力さ、そしてユーザーインタフェースに表示される。
実施例において、１つ以上のフィルタが使用されるときに、適用されるフィルタに対応する会場及びイベントが行われる会場だけを示すために、ユーザーインタフェース又は表示画面は再構成される。
本実施態様によると、複数のフィルタをデータセットに適用できるようになる。そうすることにより、出力されたデータセットの更なる修正及び改良ができるようになる。このように、本実施態様は好ましくは、イベントが開催されている会場の「ライブ」地図を提供する。
【００９３】
実施例において、上記のデータセットから生成される「ライブ地図」を、端末装置（例えばスマートフォン、計算機乃至端末機器）の画面に表示することができる。本明細書において一般的に表示される用語としての「ｄｅｖｉｃｅ（単数の端末装置）」又は「ｄｅｖｉｃｅｓ（複数の端末装置）」は、電子端末装置、移動通信機、端末装置、端末、キオスク、腕時計、タブレット、投影されたビジュアライゼーション、又は表示を生成するか又は情報を配信するこの種の他のいずれの端末装置も含むが、これに限定されるものではない。情報の配信は、音声や視覚、もしくはいずれの組合せ又はそれらの単一の使用を含むことができる。これは、時間と会場とでフィルタをかけれられる音声情報を出すオーディオ装置、デジタル地図を表示画面に映す携帯電話、又は項目リストを提供する腕時計を含むこともできる。
【００９４】
実施例の一つとして、テキストベース及び音声ベースのデータセットの配信に加えて、本実施態様は、ビジュアルグラフィックベースのディスプレイに表現されるデータセットの情報を提供する。
実施例において、提供される目に見える情報への地理的な参照を行うために、実際に表現されているか、又は現実の物理的存在を使用した表示が地図上にある。
【００９５】
地図を用いたグラフィック・オーバレイの１つの方法は、活動を表すアイコン画像を地図上に表示すること含み、そして、色、形状、サイズ及び他の属性又は表現による分類で情報を区別して表示する。この実施例では、その特徴を表すために形状と色とで表示される特徴である異なるキーを含むように、分類によって類別される会場とイベントが行われる会場を備えた地図を含むことができる。この実施例は、図２に示される。
【００９６】
この例では、ライブ地図は時間基準であり、そして地図の表示は、時間が過ぎれば再構成される。設定された開始時刻から終了時刻までの間に発生する情報の範囲として、時間にフィルタがかけられる。これは「今」又は「リアルタイム」と呼ばれることができる。そして、フィルタをかけられた開始時刻から終了時刻に発表される情報を含む。これは、過去又は未来（現在である「リアルタイム」を含まない）に設定される時間範囲を含むこともできる。
【００９７】
会場は位置の属性を含む。端末装置の位置が変化すると、あるいは、ユーザーが多角形エリアにより取り囲まれるエリアを再定義すると、データセットからの情報が表現され表示されるように、会場とイベントが行われる会場のデータセットは、変化及び更新される。
設定された地理範囲又は空間範囲で、会場の空間又は位置情報情報追跡にフィルタをかけることができる。その位置から設定される付加的な境界については、ソースの緯度や経度、又は地図上の地点を含むことができる。実施例において、空間フィルタは、ソースポイントの基準とする位置の外側に設定される境界を定める入力により設定されることができる。これは、例えば、地図の位置を移動させるか選択することによって、ユーザーが多角形エリアにより取り囲まれるエリアを再定義することを含むことができる、
【００９８】
データセットを更に絞り込むフィルタを適用すると、地図表記がより正確な結果を提供するよう再構成することができる。このように、特定のタイプのイベントが開催されている会場を特定するために、エリア（例えば近隣地区）を素早く調べることができる。１つの好ましい方法論によると、フィルタをかけられた時間と会場に含まれる、完全に利用可能な情報セットを表示する。ビジュアル表示及びテキスト表示は、時間フィルタと会場フィルタのいずれにも含まれる完全に利用可能な情報源から直接生成される。
その結果は、いずれの所定の時間と会場からも生成される情報源であり、そして、いずれの情報セットの中でも、フィルタをかけることができるすべての情報へ完全なアクセスを行う。そして、利用可能な完全な情報一式を表す。
【００９９】
図２には、端末装置上の地図インターフェース２００の例示的な表示画面が図示されている。この例では、地図インターフェース２００上の基準点２０２は、会場を表す。強調された基準点２０４は、定義された期間にイベントが開催されている会場を表す。イベントが開催されている会場と、イベントが開催されていない会場とを区別するために、基準点２０４は、何れかの方法で強調される。本実施態様によると、特定のエリア内のあらゆる会場の位置を好ましくは特定する。会場でイベントが催される場合、会場でのイベントの発生を図示するために、他の会場２０２と比較して、その会場（基準点２０４）の表現が修正される。図２の実施例において、基準点２０４又はイベントが開催されている会場は、基準点２０２と比較して、「ハロー（ｈａｌｏ）効果」を有するか又はそれを表示する。別の実施例では、いかなる適切な表現も用いることができる。
【０１００】
地図インターフェース２００により定義されるエリアは、通常は多角形エリアの形である。実施例において、多角形エリアは、特定の点（例えば端末装置の地理的な位置）周辺に定められる。別の実施例では、本明細書において一般的に記載されるように、多角形エリアが形成される地理的な位置は、いずれの好適なポイント、又はいずれの位置であることもできる。ポイントは、端末装置によってか、又は、ユーザーが手動で設定することができる。
【０１０１】
基準点２０４又はイベントが開催されている会場は、時間を基準としている。実施例において、表示される地図インターフェース２００は、時間基準の地図インターフェースである。地図インターフェース上のブロック２０６に示されるように、期間が設定される。そして、図２の実施例においては、「今日の午後６時〜午後１１時」である。よって、基準点２０４により特定されるイベントが行われる会場は、期間「今日の午後６時〜午後１１時」にイベントが開催される会場である。本実施態様は好ましくは、会場と時間基準の地図インターフェース又は「ライブ地図」を提供する。そして、時間が変化するにつれて、外観が変化する。例えば、地図インターフェース２００は、「今日の午後６時〜午後１１時」には特定の構成又は外観を、そして例えば「今日の午後１時〜午後５時」にはもう１つの又は異なる構成及び外観を有することができる。
【０１０２】
再び図２の実施例において、会場２０２は、１つ、又は複数のタイプの異なる会場を含むことができる。例えば、会場２２１はショッピングのスポット、会場２２２は食事をする会場、会場２２３はライブミュージックの施設、会場２２４はバー又はクラブ、会場２２５は映画館、そして、会場２２６はサロン又は温泉である。会場のこのリストは単に例示的なレイアウトと配置であると共に、特定のレイアウト及び配置で、地図インターフェース１００が異なる多くのタイプの会場のいずれかを示すことができると理解されよう。異なる会場２２１〜２２６は、好適な任意の方法（例えば形状、スタイル、サイズ又は色を含む）で、互いに区別されることができる。
【０１０３】
図３〜５は、時間が変化する、本実施態様を図示する。図３の実施例において、時間枠２０２は、「今日の午前７時〜午前１０時」である。図４は、時間枠４０２のための調整ペイン４０２を図示する。図３の実施例に示されるように、日付選択フィルタ３０４により、日付又は日付範囲の設定が可能となる。時間フィルタ３０６（この例ではスライダー）により、特定の時間又は時間範囲の設定が可能となる。図３の日付時間設定については、会場／イベントアイコンの特定の配列３００が図示される。
【０１０４】
図５の実施例においては、時間設定が、図４に示される「今日の午前７時〜午前１０時」から「今日の午後６時〜午後９時」に変更されている。地図の時間枠を、任意の好適な時間（過去、現在、未来）に調節することができる。図５に示される地理的エリアは図４に示される地理的エリアと同じであが、図５における会場／イベントアイコンの配列４０８は異なる。図５において、イベントが開催されている会場を表すアイコン２０４は強調されるが、会場を表すアイコン２０２は強調されない。何れかの方法でアイコン２０４をアイコン２０２から区別すると、イベントが開催されている会場と、（その他の）会場とを特定するのが容易となる。
【０１０５】
本実施態様により、図２の地図インターフェース２００に表示される多角形の領域内のエリアが変更可能となる。図６の実施例において、地図インターフェース６００（対応する端末装置の位置６０２を中心とする）のエリアは、図４に示される地図インターフェース３００のズームインされた図又は拡大図を図示する。このように、表示される会場の数を、より包括的であるか、又は部分的であるように調整することができる。
【０１０６】
図６の実施例において、地図インターフェース６００が表すエリア内に、４つの結果が示される。
図６の４つの結果は、指示期間「今日の午後７時〜午後１０時」にイベントが行われている、地図インターフェース６００の多角形の領域により定義される地理的エリア内の会場に一致する。これに対して、図４では、地図インターフェース３００には、４９６の結果があり、その結果は、指示された期間「今日の午後７時〜午後１０時」にイベントが行われている、地図インターフェース３００の多角形の領域により定義される地理的エリア内の会場に一致する。
【０１０７】
図７では、本実施態様を組み入れる例示的な地図インターフェース７００は、ナビゲーションメニュー７１０を含むことができる。実施例において、ナビゲーションメニュー７１０は、機能（例えば位置のセンタリング７１２、サーチ７１４、フィルタリング７１６、プロファイル（分析結果）７１８、リストビュー７２０）を含むことができる。別の実施例では、ナビゲーションメニュー７１０は、好適又は望ましい任意の機能も含むことができる。
【０１０８】
例えば実施例において、アイコン７０２（図７の実施例では強調されるよう示される）をアクティブにすることによって、端末装置の位置を、地図インターフェース（例えば図６に示される位置６０２）の中心に置くことができる。それから、地図インターフェース７００の多角形エリアは、定義された領域を大きく、又は小さくするために拡大・縮小されることができる。
【０１０９】
本実施態様でも、タグ付きの会場、イベント、リスト及び友人のためのサーチを有効にする。
図８に示されるように、サーチ機能７１４をアクティブにすると、サーチメニューインターフェース８００を生成することができる。この例では、検索クエリ「Oyster（牡蛎）」が入力される。そして、「タグ」８０６（その用語は本明細書で更に記載される）が生成される。会場とイベントのデータセット内では、特定された会場とイベントを特定するために、タグ８０６を通常用いる。検索クエリが入力されると、本実施態様により、対応する「タグ」を検索することができ、そして、その後、検索クエリに類似するか、検索クエリに対応する会場とイベントを特定するために「タグ」を用いることができる。
【０１１０】
実施例において、検索クエリに関する会場のリスト８０２を生成することができる。結果は、検索クエリに対応するイベント８０４のリストを含むこともできる。また、その結果は、会場とイベントに関する好適な任意の情報を含むことができ、そして、名前、アドレス、イベント時間及び画像のうち１つ以上を含む。会場とイベントのリスト８０２は、地図インターフェース上の会場とイベントを生成するデータセットから取り出されるか、引き出される。会場とイベントのリストに任意の件数の、この種の会場とイベントを含むことができることが理解されよう。
【０１１１】
図９では、本実施態様では、会場とイベントに対して１つ以上のフィルタが適用可能である。
図７に示されるように、地図インターフェース７００はフィルタ機能又はツール７１６を含むことができる。この機能は、図９の地図インターフェース９００上に９１６として示される。フィルタ機能９１６を選択すると、フィルタメニュー９０２が生成される。フィルタメニュー９０２は通常、１つ以上のフィルタ選択アイコン９２０を含む。実施例においてフィルタ選択アイコンは、図９に示される例示的な地図インターフェース９００において表示される会場とイベントに対応する会場とイベントのカテゴリと同じ数だけある。
【０１１２】
図９の実施例において、フィルタメニュー９０２を生成すると、フィルタメニュー９０２にフィルタ選択アイコン９２０を表示するのに必要なサイズ及びエリアに調整するために、地図インターフェース９００のサイズが変更される。本実施態様によると、任意の好適な寸法に地図インターフェースを拡大・縮小することができる。
【０１１３】
実施例において、フィルタ選択アイコン９２０は、会場を表すアイコン２０２と、時間枠２０６に示される期間にイベントが行われる会場を表すアイコン２０４との１つ以上に対応するために、色分けされるか、又は適切に特定されることができる。本明細書において色は通常、特徴的な属性と称される一方、例えば、フィルタアイコン９２０任意の好適な方法（例えば形状、位置、字体、フォント）で強調又は区別されることができる。
【０１１４】
図９に示される実施例において、フィルタメニュー９０２は、地図インターフェース９００に表示されるエリアで利用できるすべてのフィルタの選択オプションを含む。
図８の例示的なフィルタメニュー９０２に示されるフィルタの選択カテゴリは、食事、レストラン、ショッピング、ドリンク、バー、ファッション、カフェ及びお店、美容とリラクゼーション、屋外の席、婦人用衣類、サービスタイム、アクセサリ、テラス席、アメリカンレストラン、特別メニュー、男性用衣類、靴、ヘアサロン、カクテルバー、催し物、ラテンアメリカンレストラン、イタリアンレストランを含むが、これに限定されるものではない。このリストは単に例示的なだけであり、別の実施例では、当該カテゴリは、任意の適切なカテゴリも、カテゴリのタイプも含むことができる。
【０１１５】
実施例に示されているように、各フィルタアイコン９２０は例えば「レストラン２４８軒」というように、数も含む。この数は一般的に、このカテゴリに対応するイベントが行われる会場の数を表す。
【０１１６】
下で更に詳細に後述するように、フィルタメニュー９０２に示されるフィルタの選択カテゴリは一般的に、上記に示される単数又は複数の「タグ」に対応する。
このように、フィルタメニュー９０２は、「本明細書において更に記載されるように、所定のカテゴリに対応するカテゴリ又は、会場とイベントのデータセットで規定される「タグ」を一般的に表示する。
【０１１７】
図１０の実施例において、「食事」のためのフィルタ選択アイコン９２０ａ及び、「特別メニュー」のためのフィルタ選択アイコン９２０ｂの選択を表すために、図９の地図インターフェース９００は、再構成又は修正されている。
図１０の地図インターフェース９００で強調されるアイコン２０４は、時間枠２０６に表すように、「今日の午後２時〜午後５時」に、「食事」ができ、「特別メニュー」がある会場を表す。
図１０の実施例が２つのフィルタ選択アイコン９２０ａ及び９２０ｂの選択を示すだけである一方、別の実施例では、フィルタメニュー９０２から好適な任意の数のフィルタアイコン９２０を選択及び適用することができる。
本実施態様によると、「ドリルダウン」形式のフィルタリング及びフィルタの選択システムを提供する。
最初の地図インターフェースがより一般的はカテゴリを表示し得る一方、フィルタメニュー９０２は、フィルタの選択オプション９２０で、より条件を絞られ特定されたカテゴリを表示するために、修正及び変更されることができる。
【０１１８】
実施例において、一旦フィルタ選択アイコン９２０ａと９２０ｂが選択されると、図９のフィルタメニュー９０２は修正又は再構成される。
図１０には、「食事」及び「特別メニュー」」に一致するか、もしくは関連するフィルタ選択アイコン９２１だけを表示するために、フィルタメニュー９０２は再構成される。
図１０の実施例に示されるフィルタ選択アイコン又はフィルタ９２１は、カテゴリ又は「タグ」（例えばレストラン、サービスタイム、バー、屋外の席、特別ランチ、テラス席、特別な牡蛎料理、アメリカンレストラン、特別な前菜、タパス／小皿料理、ＢＹＯＢ（飲み物持ち込み）、パブでの食事、特別なシーフード料理）を含む。ここで再度記載するが、リストは包括的でなく、フィルタメニュー９０２は好適な任意の数のフィルタアイコン９２１を含むことができる。
【０１１９】
上記で示されたように、各々のフィルタアイコンに隣接するテキストは、選択されたフィルタオプションに対応しているイベントが行われる会場の数を示す数である。よって、図１０の実施例では、午後２時〜午後５時に食事ができる５２軒の会場（ｖｅｎｕｅ）があり、特別メニューがある５２軒の会場がある、ということである。
【０１２０】
図１１は、「テラス席」のためのフィルタ選択アイコン９２１ａの更なる選択を表す。この例では、タグ「特別メニュー」と「食事」と「テラス席」とでフィルタをかけられるか又はそれに対応するアイコン２０４だけを表示するために、地図インターフェース９００は再構成又は修正された。
図１１の実施例では、今日午後２時〜午後５時の、「特別メニュー」と「食事」と「テラス席」とを備える会場に対して、１６の結果がある。
本実施態様によると、タグを用いて地図インターフェース上の会場とイベントにフィルタをかけ、複数のフィルタを追加する。
【０１２１】
図７及び１２における実施例において、ナビゲーションメニュー７００は、プロファイル機能又はアイコン７１８を含む。
図１２に示すように、選択されると、プロファイル機能７１８は保存された会場、イベント、リスト及び友人のプロファイル１２００を提供することができる。
【０１２２】
図７及び１３における実施例において、ナビゲーションメニュー７００は、リスト機能又はアイコン７２０を含むことができる。図１３に示すように、リスト機能７２０を選択すると、地図又は地図インターフェースに示される会場とイベント全てのリストビュー１３００が表示される。
【０１２３】
図１４〜１７によると、本実施態様により、会場とイベントについてより多くの詳細を得ることもできる。初めは、図１４に示される例示的な地図インターフェース１４００であり、それから、会場２０２と、「火曜日の午後３時〜午前１２時」に行われるイベントの会場２０４とが図示される。会場又は、イベントが行われる会場についてより詳細な情報を得るために、対応するアイコンを選択することができる。
図１４及び１５の実施例では、アイコン２０４ａが選択された。図１５に示すように、アイコンが選択されたことを示すためにアイコン２０４ａが強調される。ポップアップウィンドウ１５００は、地図インターフェース１４００上の情報ビュー又はパネルを表示する。そして、ポップアップウィンドウ１５００は、選択された会場及び選択された会場で開催されるイベントについてより詳細な情報を提供する。
実施例において、セーブアイコン１５０２、１５０４の１つ以上を選択することによって、この詳細な情報を保存することができる。実施例において、図１２（上記）について述べたように、１５０２、１５０４のうち１つ以上を選択すると、ユーザーのプロファイルに情報が保存される。
【０１２４】
選択された会場２０４ａに関して、詳細情報をどのように表示することができるか、図１６に図示する。この例では、ポップアップウィンドウ１５００上で更に選択すると、表示を詳細情報（例えば会場の画像１６００）に変化させ、表示させることができる。
図１７は、例えばイベントのすべての予定１７００といった、会場に関する更なる詳細を図示する。
実施例において、本明細書に更に記載されるように、情報及びデータ又は、図１４〜１７に表示される情報及びデータに対するリンクは、会場とイベントのデータベースから得られる。
【０１２５】
図１８は、本実施態様を組み入れるプロセスのブロック図を図示する。
実施例において、
データを収集する（１２）、
収集されたデータを保存及び分類する（１４）、
保存されたデータはデジタル地図上の情報を生成（１６）するために用いられる、
デジタル地図に表示される情報は、ユーザー対話（１８）に基づいてフィルタをかけられ修正することができる
【０１２６】
位置についてのデータは、多くのフォーマットで発表される（オンライン、オフライン共）。データ収集（１０）は、ソースにアクセスしてデータを得ること、又は、情報ソースからデータを取り込むこと（例えばネットワーク（例えばインターネット）から情報を獲得する）を含むことができる。
本実施態様によると、現実世界で、そして利用可能な全ての公開データソースを介して、オンラインで会場とイベント情報を検索することができる。
【０１２７】
図１９では、データを収集するプロセスにより、任意のデータソースから受け入れた情報が入力され、例えば、サーバに保存されるようにする。情報の受け入れは、公表された供給源及びオンラインデータソース（２０）、デジタルウェブクローリング及びモニタリング（２２）、直接のシステムへのデータ入力（２４）又はエンドユーザーによるシステムへのデータ入力（２６）を含むが、これに限定されるものではない。収集されるデータはデータソースに依存しておらず、本明細書において更に記載されるように、会場とイベントデータを通常備え、そして、メモリ領域（例えばデータベース）に集められ、保存され得る。
【０１２８】
データ保存及び分類（１２）は、異なるデータタイプを特定することを含むことができる。本実施態様によると、データ型を「会場」データ及び／又は「イベント」データに分類する。会場データに加えて、会場でイベントが発生すると、特定時間の位置のためのデータセットが表される。「イベント」データとして集めることができるデータの実施例は、小売店でのセール、又はバーで行われるライブミュージックイベントを含むが、これに限定されるものではない。情報は、例えばイベントの開始時刻及び終了時刻、イベントのタイトル、イベントの費用及び会場についての他のデータ、又は所定の時間にその会場で行われる内容、といったデータを含むことができる。
図２の実施例に図示するように、イベントが行われる会場は、強調又は区別されたアイコン２０４として示される。
【０１２９】
開示された実施例のデータベース（２８）を形成するデータは、データ保存構造に基づく（以下「タグ」又は「シングルタグ辞書」という）。
このタグベースのデータ保存構造により、イベント及び会場は使い勝手のよい構造に分類され、それによって、完全且つ生のデータ一式を生み出すことになる。開示された実施例のタグベースの辞書は、会場とイベントについて記載するテキストベースの構造である
【０１３０】
このデータ保存構造は、データ収集プロセスで得られる生データ（の構造）とは異なる。どちらかと言えば、イベントデータ及び会場データが収集されるときに、データの分類に最も適したタグが確定される。それから、タグは、データベース２８の会場又はイベントに関連して保存される。
【０１３１】
図２０には、実施例において、イベントと会場両方のデータが、位置の時間基準のビューを作成するために組み合わせられる。可能な組み合わせは、イベントが行われない会場２１０と、イベントが行われる会場２２０とを含む。
例えば会場２１０の位置では、たとえ開催されるイベントがなくても、位置は、会場属性を表すか、会場属性によって表される。
この実施例の会場タイプ２１０、２２０それぞれのための会場属性２１１、２２１は、「カテゴリ」、「会場タイプ」及び「サブタイプ」を含む。この実施例のイベント属性２２１は、「カテゴリ」、「イベントタイプ」及び「ハイライト」を含む。
【０１３２】
本実施態様によると、世界をテキストベースのグループに類別するために、イベントと位置両方を区別する特定された分類を使用する。
下記の表１は、これまでに”進化”してきた、タグベースの辞書の実施例を図示する。タグ辞書及び分類は、会場とイベントデータ全体で共有される。
以下で示されるカテゴリ及び情報は、単に代表的なものであり、開示された実施例の分類に包含することができるすべてのカテゴリを含むことを意図していない
【０１３３】
［表１］
2018512091.tif 000003
【０１３４】
例えばタグ「食事」を選択すると、サーチ時にタグ「食事」に対応するイベントが開催されている位置と組み合わせて、タグ「食事」に関連する位置の両方を表すことができる。従って、単一の位置で、食事の会場と食事のイベントとを見つけることができる。
【０１３５】
本実施態様によると、データを集め、そのデータをシステムに入力する。それから、データは、フォーマットされ、構成され、分類され、タグ付けされる。一般的に本明細書に記載されるように、フォーマットされタグ付けされたデータは、デジタル地図を作成すると共に、生成のために用いることができるデータセットが作成される。
【０１３６】
本実施態様によると、モバイル機器のＧＰＳ機能と内部クロックとを用いて、新規なデジタル地図のオーバーレイを構築する。本明細書に記載されるように、地図インターフェース上に重ねられる情報にフィルタをかけるために、位置追跡及び内部クロックを用いる。表示される情報は、タグドリルダウンインタフェース及び空間グラフィックデータ表現の形の、データのテキストから派生した表現を含むが、これに限定されるものではない。
【０１３７】
位置及び時間を追跡する端末装置の機能を利用することによって、開示された実施例のシステムは、自動的に生成されたタグベースの情報インタフェース（「ドリルダウン」形式と呼ばれている）又は、端末装置の位置情報及び端末装置の内部クロックの時間でフィルタをかけられる情報を有するフィルタメニューディスプレイを表示するように構成される。
デジタル地図オーバーレイ及びドリルダウンインタフェースは、時間と会場に基づいて変化する。
【０１３８】
図２１では、フィルタメニュー２１０１は、オーバレイ２１０２（フィルタ選択アイコンと称される）を含むことができ、それは、正方形、円又は他の形状でもよく、そして、位置及び時間でフィルタをかけられる会場とイベントのためのベースとなる構成されたタグデータを表すテキスト、アイコン又は画像を含むことができる。
【０１３９】
フィルタメニューを生成する実施例は、図２１に示される。図２１の実施例において、フィルタメニュー２１０１は、オープンであるか、アクティブなプログラムに基づく地図インターフェース２１００に現れる。
フィルタメニューの他の実施例は、フィルタ選択アイコン９２０を備えたフィルタメニュー９０２として、図９〜１１に示される。図２１に示されるフィルタメニュー２１００は、位置及び時間フィルタ２１１０、会場タグ２１１１及びイベンタグ２１１２に基づく。
【０１４０】
図２１のフィルタメニュー２１０１を形成するタグ又はフィルタ選択アイコン２１０２の一組は、任意で並べられるが、好ましくは利用可能なデータセット中の、各テキストのタグの頻度に基づく。図２１の実施例において、データセットにおいて最も頻出するタグは、リストのトップ又は左上角２１０３にくるか表示され、そして、頻度が低いか関連する位置は、最後又は右下角２１０４にくる。
【０１４１】
図２１に示すように、タグ「ショッピング」のためのオーバレイ２１０３は、フィルタメニュー２１０１（左上角）に、最も関連するタグとして表示される。上記の図の位置に関して参照が最も少なかったタグ２１０４は、右下角にある、「ファッション」である。このように、特定の時間枠で、特定の地理的エリアにおいて、最も頻出するタグのカテゴリは「ショッピング」である場合、「ショッピング」は、フィルタメニュー２１０１で最も関連性のあるタグとして表示される。
【０１４２】
左上角及び右下角を参照により、本明細書で関連性が通常記載される一方で、本実施態様は、さほど制限されない。別の実施例では、関連を図示する好適な任意の方法を用いることができる。
【０１４３】
フィルタメニュー２１０１のオーバレイの数は、図２１の実施例において図示される数に限られないことに注意されたい。正確に言えば、フィルタメニュー２１０１は、いずれの数のタグ又はフィルタの選択要素のためのいずれの数のオーバレイも含むことができる。
【０１４４】
実施例において、最も関連するタグから始め、最も少なく関連するタグへと順に見ることが一般的に理解されるような方法で、フィルタメニュー２１０１は上下にスクロールされることができる。フィルタメニュー２１０１が下へスクロールされると、その下により多くのオーバレイがあり得る。
【０１４５】
図２１に示される例示的なフィルタメニュー２１０１は正方形の形状であるが、フィルタメニュー２１０１が任意の好適な幾何学的形状又は画像も備えることができることが理解されよう。本実施態様は、フィルタメニュー４．１の特別形状、タグオーバレイの形状、又はフィルタメニュー内又は上のタグオーバレイの特定の配置によって制限されることを意図しない。図９〜１１は、タグ又はフィルタの選択要素９２０の他のレイアウト及び配置を図示する。
【０１４６】
一般的に理解される方法で、タグオーバレイ又はフィルタの選択要素が選択されるように構成される。例えばタッチによってタグを選択する場合には、ユーザーはタグ上で選択をし、そして、選択されたタグはデータセットに適用される追加フィルタとなる。表示される残りのタグは全て、選択されたタグを共有する会場とイベントから得られる。データフィルタ及びデータセットを変更するために、ユーザーは複数のタグを選択することも、非選択のタグを選択することもできる。タグをフィルタインタフェースから移動させると、プログラムはこのタグを含むすべての会場とイベントを取り除く。
【０１４７】
このような実施例は、図２２Ａ〜２２Ｃに示される。
図２２Ａは、ユーザーインタフェース２２００に表示される会場に対して、見込まれるフィルタの選択肢２２０２すべてを含むフィルタメニュー２２０１と共に、初期状態の時間基準のデータセットを表示する。
図２２Ａのフィルタメニュー２２０１でショッピングタグ２２０３を選択すると、結果は図２２Ｂに示される地図オーバーレイ２２１０となる。図２２Ｂの地図オーバーレイ２２１０は、位置、時間及び選択されたタグ２２０３（ショッピング）のフィルタに基づいて、地図インターフェースを示す。図２２Ｂにおいて、ショッピングの会場はフラグのついたアイコンにより特定される。
図２２Ｃは、フラグのついたアイコン２２０４のうちの１つが選択された場合について図示する。選択されたアイコンに関連する詳細情報は、ポップアップ２２０５に表示される。
【０１４８】
図２３Ａ〜２３Ｃは、本実施態様を組み入れているシステムの他の例示的な地図ビュー又はインタフェースを図示する。この例では、テキストのフィルタメニュー２３０１は、それぞれ異なるフィルタアイコン２３０２からの１つ以上の選択に基づいて調整される。
図２３Ａは、時間基準の地理的エリアのためのライブミュージックタグ２３０３の選択に基づく地図インターフェース２３００に対するデータセットの表現を図示する。図２３Ａのアイコン２３０４のセットは、設定された時間枠の間、地理的エリアに対して、ライブミュージックが行われる会場を示す。
フィルタメニュー２３０１からのジャズのタグ２３０５を選択すると結果は、図２３Ｂに示される地図インターフェース２３１０が表す新規なデータセットとなる。
図２３Ｂのフィルタ選択メニュー２３１２からレストランタグ２３１１を選択すると結果は、図２３Ｃに示される地図インターフェース２３２０となる。
適用されるフィルタが増えると、結果として生じるデータセットはより条件を絞られ、限定される。データセットの構造、フィルタリング及び表現により、高速かつシンプルなフィルタベースのサーチを可能とし、そして、様々な表示サイズ及びフォーマット上でアクセス可能である。
【０１４９】
データは、サーバから返されるフィルタリングされていない会場とイベントのデータセットに基づいて、地図上で視覚的に表示される。作成される視覚化（ビジュアライゼーション）は、データの密度、地図の視点、又は特定されたデータ可視化を必要とするかもしれない他の要因に基づいて調整され得る。
【０１５０】
図２４は、図２３Ａから選択されたライブミュージックのデータセット２３０４がどのように見えるかの実施例を図示する。地図インターフェース２４００上のピン２４０１は、すべてのライブミュージックタグの空間描写であり、地理的な位置又は会場を表す。地理的な位置又は会場は、例えば緯度及び経度といった地理座標によって特定することができる。本実施態様に従って、地理的な位置又は会場は、時間によっても特定される。
【０１５１】
本明細書において更に記載されるように、図２４の地図インターフェース２４００上のピン２４１０（音符の形）は、特定されるか指定された期間の間、図２３Ａの「ライブミュージック」タグ２３０３に該当するか又はそれに対応する会場を表す。よって会場は、ピン２４０１により地理的な位置で特定されるだけでなく、会場は時間でも特定される。
【０１５２】
本実施態様によると、地図の表示は時間に依存する。イベントは異なる時間に開催されるので、ある時点のイベント地図の表示は、さらに別の時点、又は異なる時のイベント地図の表示と異なり得る。よって、本実施態様によれば、地図上の会場は、その会場と時間（例えば緯度、経度及び時間）によって特定することができる。
【０１５３】
本実施態様によると、時間と会場フィルタを調整できるようにするインタフェースを提供する。ユーザーは、位置フィルタの範囲を調整するために、地図インターフェースを移動させたり、又は他のさまざまな対話により、地図インターフェースを調整することができる。例えばユーザーは地図ビューをズームインしたりズームアウトすることができる。これらの調整が行われると、システムはデータセットに再びフィルタをかけて、対応するフィルタメニューに表示される情報を変更する。
【０１５４】
位置フィルタは、地図インターフェース上の可視エリア又は領域の物理表現によって主に調整されるが、これに限定されない。位置が変化すると、地図を通じて構成される情報も変化する。そして、目に見える地図の後ろに隠れていた利用可能なものを、フィルタメニューに表示する。端末装置により位置を設定及び変更することができるか、又は、ユーザーが位置フィルタを調整することができる。
【０１５５】
現在の情報に限らず、位置に関する１つ以上の過去又は未来の情報も確認できるようにすることによって、情報にフィルタをかけられなければならない期間を変更するために、時間又は日付は、調整され得る。
図２５は、開示された実施例のシステム用に、時間フィルタ２５００の一実施例を図示する。例えば、図２に示される時間枠２０６を変更するために、時間フィルタ２５００の調整を行うことができる。時間フィルタ２５００を、現在時刻、未来又は過去の時間にさえ設定することができる。時間フィルタ２５００が調整されると、例えば図２６にあるように、地図に表示される内容が変化する。
【０１５６】
図２６において、地図インターフェース２６１０は、午後１時〜午後３時の時間枠又はフィルタ２６０１の表示を図示する。一方で、地図インターフェース２６２０が午後１１時〜午前２時までの時間枠又はフィルタ２６０２の表示を図示する。本実施態様によると、任意の好適な時間調整端末装置又はフィルタを組み入れることができるか又は利用することができる。
【０１５７】
本実施態様によると、端末装置のユーザーインタフェース上で、ユーザーに内容的関連性を表示するようにする。関連性は一般的に、４つの見込まれる位置／イベント結果に基づく。実施例は、図２７に示される。設定される各結果の範囲内で、関連性は、イベント開始時刻によって最初にソートされ、それからユーザーの位置からの距離又は地図で設定される特定の位置でソートされることができる。
【０１５８】
図２８は、本実施態様を組み入れる地図ビューにおいて、コンテンツをどのように表現することができるかという一実施例を図示する。この例では、関連したタグが、ポップアップ２８０２として表示される。それから、ポップアップに対応するイベント及び会場内容のより詳細な図を、ウインドウ２８０４に示すように、設けることができる。
【０１５９】
図２９の地図インターフェースビューには、ユーザーがどのように複数のカテゴリかタグを選択し、本実施態様によるデータにおいてドリルダウンすることができるかという１つの実施例を設けられる。この例では、地図２９１０は一般的に、ユーザー又はユーザーのモバイル機器の概略位置２９５０を取り囲んでいる地理エリアを図示する。時間フィルタ２９１１は、火曜日〜木曜日の午前６時〜午前１２時を含む期間と設定された。地理的な位置及び期間には、「ショッピング」のフィルタがかけられ、カテゴリフィルタ２９１２も、設定された。時間とカテゴリフィルタで、地図インターフェース２９１０に示されるように、１０３７個の特定されたマッチ又は「ｔｈｉｎｇｓ  ｔｏ  ｄｏ（すること）」がある。この１０３７個のマッチには通常、木曜日〜火曜日の午前６時〜午前１２時の、「ショッピング」に対応する会場が含まれる。
【０１６０】
図２９に示される地図インターフェース２９２０は、最初の地図インターフェース２９１０の更なるフィルタリングを図示する。時間フィルタ２９２１は、木曜日〜火曜日の午後２時〜午前１２時までの期間を表すように変更される。時間の変化が検出される場合、この変化は、ユーザーが時間フィルタ２９２１を調整することによって手動で設定するか、又は、端末装置により自動的に設定されることができる。例えば実施例において時間フィルタ２９２１は、端末装置から現在時刻を検出するように構成されることができ、それから、予め定められた時間数の時間枠を決める。よって、図２９の実施例で、端末装置が時間が午後２時であると検出する場合、時間枠は午後２時〜午前１２時又は他の好適な任意の期間を設定することもできる。
【０１６１】
カテゴリフィルタ２９２２は、以下のカテゴリ：ショッピング；ファッション及び紳士衣料品店の選択を表している。この例では、地図インターフェース２９２０は、位置と時間とカテゴリフィルタとの特定の組合せに対する、２６５個の「Ｔｈｉｎｇｓ  ｔｏ  Ｄｏ（すること）」を特定する。地図インターフェース２９２０に示される各会場又は会場はアイコンのセットで表現され、例えばアイコン２９６０を含み、そして、時間と会場により特定されることができる。
【０１６２】
地図インターフェース２９３０は、更なる改良又はフィルタリングを図示する。
地図２９３０の実施例において、時間フィルタ２９３１は、火曜日〜木曜日の午後２時〜午前１２時の期間を表す。カテゴリフィルタ２９３２は、次のカテゴリ：ショッピング；ファッション；紳士衣料品店；靴屋の選択を表す。位置、時間及びカテゴリのこの特定のフィルタに対して、例えばアイコン２９６０といったアイコンのセットで表されるように、２０個の「Ｔｈｉｎｇｓ  ｔｏ  Ｄｏ（すること）」がある。
このように、図２９に示される実施例で図示されるように、データのドリルダウンを行うと、地図インタフェース及び下にある地図の表示は変化する。
【０１６３】
図３０は、会場とイベントを表す地図ピン３０１３をどのようにリストの形で、又は、単一のコールアウトとしても設けることができるかという実施例を図示する。地図３０１０は多くの地図ピン３０１３を図示する。そして、位置、時間及びカテゴリフィルタに基づいて特定された会場を表す。時間フィルタは、フィールド３０１１に示される。位置フィルタは、地理エリア周辺位置３０１５に対応する。カテゴリフィルタ３０１２は、タグ又はフィルタ「食事３０１２」及び「スペシャルランチ３０１４」の選択に基づく。
【０１６４】
リストビュー３０２０により示されるように、地図インターフェースビュー３０１０はリストの形で表示されることもできる。この例では、各会場は、スクロール可能なリストの形で表示される。
図３０の地図インターフェースビュー３０３０において、アイコン３０３５により特定される会場が選択され、そして、単一のコールアウト又はポップアップウィンドウ３０２５が表示される。コールアウト３０２５は、アイコン３０３５によって特定される会場に関する詳細を提供する。
【０１６５】
図３１においてこの例では、地図３１１０は、４７個の「Ｔｈｉｎｇｓ  ｔｏ  Ｄｏ（すること）」又は、位置、時間及びカテゴリの所定のフィルタのためのイベントを特定する。地図３１１０は、時間フィルタウインドウ３１１１に示すように、金曜日〜土曜日の午後１時〜午前１２時の「ライブミュージック」タグ３１１２を選択することによりフィルタをかけられる。対応する会場は、アイコン又はピン３１１３により特定される。
【０１６６】
時間フィルタ３１２１の変化に対応して、地図インターフェース３１２０では、地図インターフェース３１１０に表示されるものから、地図の表示が変更された。地図インターフェース３１２０のための時間フィルタウインドウ３１２１は、金曜日〜６月２４日の午後１時〜午前１２時の期間を表す。この例では、位置、カテゴリ及び時間の特定の組合せは、２４個の「Ｔｈｉｎｇｓ  ｔｏ  Ｄｏ（すること）」を特定する
【０１６７】
地図インターフェース３１３０は、時間及び日付フィルタ３１３１の他の実施例を図示する。地図インターフェース３１３０の時間及び日付フィルタ３１３１は、日付枠ならびに時間枠を調整するためにオプションを提供する。時間及び日付フィルタ３１３１が調整されると、時間及び日付フィルタ３１２１及び、選択されたタグ３１１２に示される特定の期間の間に利用できるイベント及び会場を表示するために、地図インターフェース３１３０の表示は変化する。
【０１６８】
図３１の実施例において、時間枠が変化すると、フィルタメニューのフィルタの選択肢又はオプションは変化する。
フィルタメニュー３１１５において、イベントフィルタオプションは、ライブＤＪ、サービスタイム、ライブバンド、ブランチ、パフォーマンス、特別メニュー及びバンド活動を含む。
フィルタメニュー３１２５において、利用できるイベントフィルタは、ライブＤＪ、パフォーマンス、ライブバンド、サービスタイム、集まり、バーイベント、バーレスク、スペシャルディナー及びキャバレーを含む。
例示的なフィルタメニュー３１３５において、利用できるフィルタオプションは、ライブＤＪ、ライブバンド、サービスタイム、特別メニュー、バーイベント、パフォーマンス、ブランチ、コメディショー及び集まりを含む。
位置、タグ及び時間フィルタに基づくデータセットの決定に従って、所定の時間又は所定の期間で利用できることを表すために、フィルタメニュー３１１５、３１２５及び３１３５がどのように修正又は変更されるかについて、これらの実施例で説明する。見込まれる会場及びイベントが行われる会場を表すために、それぞれの地図インターフェース３１１０、３１２０及び３１３０の各々で表されるデータオブジェクトも変化する。
【０１６９】
図３２Ａ〜３２Ｐには、本実施態様を組み入れるプロセスの一実施例が図示される。図３２Ａ〜３２Ｐは、本実施態様を組み入れる端末装置のスクリーンショットである。
図３２Ａ及び３２Ｂでは、実施例において、ユーザーは開示された実施例の地図インターフェースアプリケーションを開く。そうすると、地図インターフェース３３１０が表示される。この実施例の地図インターフェース３２１０は、端末装置（例えば移動通信機）の表示画面の表示部分３２００に表示される。
【０１７０】
この初期状態において、地図インターフェース３２１０は、定義された多角形エリアのアイコン３３１４（時間枠３２１６に示すような時間によってフィルタをかけられる）で表現される会場を表示する。
この例では、所定期間内の見込まれるすべての会場を図示する。端末装置の位置は、端末装置の位置３３１２と称されるアイコン３３１２によって表される。
【０１７１】
実施例において、図３２Ｂに示されるように、端末装置の位置を中心とするために、アイコン３３１２を選択することにより、ユーザーは多角形エリアを再定義することができる。
図３２Ａに示される表示と比較して、検出された端末装置位置３２１２を囲むエリアのより詳細な表示を提供するために、図３２Ｂの表示はズームインされる。
【０１７２】
図３２Ｂには、地図３２１０の表示エリア３２００の中にある会場は、アイコン３３１４で特定される。この例では会場は、実質的に円形のアイコン３２１４で特定される。別の実施例では、適切な任意のアイコン又は特定子を用いることができる。実施例において、アイコンは色分けされることができ、色分けにより、異なる会場及び会場のタイプを表す。
【０１７３】
図３２Ｃの実施例において、表示画面の表示エリア又は部分３２００は、少なくとも２つの部分、地図部３２１０及び特徴選択パネル部３２２０に分けられる。
実施例において、一旦見込まれる会場が特定されると、見込まれる会場一式に対応するタグ又はフィルタオプションを含む特徴選択パネル３３２０が表示される。ユーザーインタフェースは、特徴選択パネル３３２０を表示するよう更新される。この例では、特徴選択パネル３２２０（フィルタメニュー又はフィルタパネルとも呼ばれる）は、地図インターフェース３２１０の底の部分に沿って表示される。別の実施例では、フィルタパネル３２２０を、地図インターフェース３２１０の任意の部分に表示することができる。
【０１７４】
フィルタパネル３２２０は通常、選択カテゴリ及び特徴（タグと呼ばれる）を含むか又はそれをリストにする。そして、アイコン３２１４によって特定される会場を分類して、フィルタをかけるために、用いられることができる。これらのカテゴリ及びフィルタは、例えば１つ以上のイベント、特徴及び会場を含むが、これに限定されない。
【０１７５】
図３２Ｃの実施例において、位置３２１２周辺に、アイコン３２１４で特定される会場が図示される。
フィルタパネル３２２０のアイコン３３２２一式は、図示される会場に利用できるフィルタが、ショッピング、食事、アウトドア、ドリンク及び美容とリラクゼーションであることを示す。
【０１７６】
図３２Ｃの実施例に示すように、アイコン３２２２を、形状、グラフィックイメージ、幾何学的形状、テキストの参照又は色の１つ以上により区別することができる。別の実施例では、アイコン３２２２は、形状、グラフィックイメージ、幾何学的形状、テキストの参照又は色を含む以外、好適な任意の方法で特定又は表現されることができる。
【０１７７】
図３２Ｄでは位置が変更され、その位置は、一般的に理解される方法で、地図インターフェース３２１０に表示される地図の動きで表すことができる。位置が変更されると、多角形により定義されるエリアは変化し、そしてデータセットが再定義される。
新規又は再定義された会場一式（アイコン３２１４で表現）は、地図インターフェース３３１０の新規な多角形エリアに表示される。
会場が会場及び時間基準であるので、地図ビューを変更すると、時間枠３２１６に示される期間のイベントに対応する会場に変更される。地図３２１０上のピン３２１４が変化すると、この例では、アイコン３２１４で表される会場に対応する利用できるフィルタオプションを表すために、フィルタパネル３２２０のアイコン３２２２も変化する。
【０１７８】
図３２Ｄ及び３２Ｅには、フィルタパネル３２２０（例えばライブミュージックアイコン３２２４）のアイコンを選択することにより、特定のカテゴリを選択して、そこでドリルダウンできるようにする。
各フィルタが選択されると、地図インターフェース３２１０は、図３２Ｅに図示するように、選択されたフィルタ又はフィルタの組合せで利用可能ものをただ示すために、再定義したデータセットに基づいて再びフィルタをかける。フィルタパネル３２２０のフィルタはまた、修正又は再定義される。
図３２Ｅの実施例において、位置及び時間により更に定義されるように、アイコン３２２６一式は地図インターフェース３３１０に表示されるライブミュージック会場のために利用可能フィルタオプションを図示する。
【０１７９】
図３２Ｅには、再びフィルタをかけられた地図インターフェース３２１０（図３２Ｅのライブミュージックアイコン３２２４の選択肢に対応する）が、ズームアウトされた表示で図示される。
地図インタフェース３２１０の表示をズームアウトすることによって、図３２Ｆに示すように、アイコン３２３０のセットが、フィールド３２１６に示す期間の、選択されたライブミュージックフィルタ３２２４に対応する会場の数を、見ることができる表示エリアにおいて特定する。
この例では、アイコン３２３０は、音符の形である。端末装置の位置は、図３２Ｆのアイコン３２１２により示される。
【０１８０】
図３２Ｇの実施例において、「ライブミュージック」３３２４及び「ライブバンド」３３２５のフィルタが、選択される。
図３２Ｇの地図インタフェースの表示３２１０は、開催内容を示すために再びフィルタをかけられた。すなわち、「フィールド３２１６に示される期間に「ライブミュージック」及び「ライブバンド」の選択されたフィルタ又はイベントカテゴリに関連するアイコン３３３０によって表現される会場である。
【０１８１】
フィルタパネル３２２０の一部である３２２６はまた、ライブミュージック及びライブバンドフィルタの選択及び会場３３３０に対応する更なるフィルタの選択カテゴリを含めるよう再定義される。これらのフィルタは、見込まれる会場に更にフィルタをかけて、絞り込むために用いることができる。
図３２Ｈにおいて、「ラテン」３２３５及び「屋外パティオ」３２３６の追加フィルタが選択され、フィルタ条件の一部となり得る。図３２Ｈ地図インタフェース３２１０の表示は、ライブミュージック、ライブバンド、ラテン及び屋外パティオに関する会場だけを示すために、下層のデータセットに基づいて、再びフィルタをかけ、そして再定義される。
図３２Ｈに図示するように、時間枠３２１６で参照される期間に行われているラテン、ライブミュージック、ライブバンド及び屋外パティオにマッチするアイコン３２４０で特定される会場が１つある。
【０１８２】
図３２Ｉでは、本実施態様によると、ユーザーは、地図インターフェース３２１０の表示（例えば図３２Ｈに示される会場３２４０）で特定される１つ以上の会場に関連する詳細を引き出すことができる。
実施例において、ユーザーは、詳細を引き出すために会場アイコン３２４０を選択することができ、それにより、会場情報フレーム又はポップアップ３２４２を表示させる。
別の実施例では、会場情報フレーム又はポップアップ３２４２を、好適な任意の方法でも出すことができる、例えば、地図インターフェース３２１０のメニュー部分の位置アイコン３２４４を選択することを含む。
図３２Ｊに示すように、会場の画像を含む、より詳細な会場パネル３２４６を表示することができる。イメージギャラリー３２４８に図示するように、会場３２４０についての他の詳細及び情報を設けることができ、例えば１つ以上の画像を含む。イメージギャラリー３２４８の画像を、別々のウィンドウで、又は、図３２Ｋに示されるギャラリー形式で、個々に表示することができる。図３２Ｋは、イベント情報がどのように表示又は表示されるかの実施例を示す。
【０１８３】
本実施態様によると、ユーザーは会場についてのフィードバック（例えば会場情報に対するポストレビュー、写真及び画像）を提供することができる。
図３２Ｌは、例示的な画像アップロードスクリーンを図示する。ユーザーは画像を撮ることができ、説明を提供することができ、画像及び説明（会場情報と関し得る）を投稿することができる。
【０１８４】
本実施態様によると、異なるポイントで、又は異なる期間に、イベントデータを表示及び比較できるようにする。
図３２Ｍでは、地図インターフェース３２１０の表示上のアイコン３２１４は、期間「今日の午後３時〜午前１２時」に対応するイベントのある、ライブミュージック３３２４及びライブバンド３３２５のフィルタに対応する会場を表す。
図３２Ｎは、関連する日時がどのように表示され、選択され得るかという他の実施例を図示する。
【０１８５】
図３２Ｎの実施例において、フィールド３２５０は、日付セレクタ３２５２及び時間セレクタ３２５４を含む。
別の実施例では、フィールド３２５０は、適切な日付及び時間の期間を選択し、設定するための適切な任意のメカニズムも含むことができる。
図３２Ｏでは、日付及び時間は、以下の火曜日の午後３時〜午前１２時の同じ期間である。
【０１８６】
図３２Ｏの実施例において、地図３２１０の表示は、以下の火曜日の午後３時〜午前１２時までに行われるイベントに対応するイベントアイコン３２１２を表示するために再びフィルタをかけるか、リセットされる。図３２Ｎに示される地図３２１０の表示に対して、地図３２１０の表示のアイコン３２１２は変化する。
図３２Ｏには、時間を変化させた結果が図示される。その一方で、図３２Ｐには日数分にわたる期間の地図ビューが図示される。
ここで再度、この特定の地図インターフェース３２１０の表示のためのアイコン３２１２は、ライブミュージック及びライブバンドのためのフィルタを特定して選択するために、フィールド３２５０において選択される日及び期間に、対応するイベントが行われる会場を特定する。
本実施態様によると、特定のいずれの日、特定のいずれの時間、又は、期間にも、ならびに１日以上の日にわたって行われるものにも目を向けるようにする。
このように、地図インターフェース３３１０の表示は、上記のようにユーザーが調整するか、又は、端末装置の位置及び端末装置により検出される時間に基づいて自動的に調整するかどうかで、変更される。
地図インターフェース３３１０を定めている多角形エリアが同じままのときでも、地図インタフェース３３１０の表示は時間が過ぎればこのように異なる。
【０１８７】
開示された実施例の少なくとも１つの態様において、コンピュータ読取可能な媒体に保存される１つ以上のプログラムの管理下で、１つ以上のコンピュータ又は端末装置で、本明細書において開示されるシステム及び方法を実行することができる。
図３３は、本実施態様を実践するために用いることができる装置３３４００のブロック図を示す。１つの装置だけが示されるが、複数の装置で実行できることが理解されよう。
【０１８８】
少なくとも１つの例示的な態様において、ユーザー装置、サーバ及び他の開示された端末装置及びシステムの各々は、装置３３００の実例又は複製を使用して行うことができるか、あるいは、装置３３００の任意の数の実例又は複製を組み合わせるか又はそこで配信することができる。
ユーザー装置は、端末装置、移動通信機、ワイヤレス通信装置、スマートフォン、ナビゲーション装備又は使用可能端末装置、タブレット及びこの種の他のいかなる類似又は互換性を持つ端末装置から成ることができる。
【０１８９】
装置３３００は、本明細書に記載されるプロセス及び方法を実施及び実行するための、少なくとも１つのコンピュータ読取可能な媒体３３０２に保存されるコンピュータ読取可能なプログラムコードを含むことができる。コンピュータ読取可能な媒体３３０２は、装置３３００のメモリでもよい。
別の態様において、コンピュータ読取可能なプログラムコードは、装置３３００の外部、又は、装置３３００から離れたメモリに保存されることができる。メモリは、磁気媒体、半導体媒体、光学式媒体又はコンピュータによって読み込み可能及び実行可能であるいかなる媒体も含むことができる。
装置３３００は、少なくとも１つのコンピュータ読取可能な媒体３３０２に保存されるコンピュータ読取可能なプログラムコードを実行するためのプロセッサ３３０４を含むこともできる。
少なくとも１つの態様において、装置は、上記のユーザーインタフェースと類似の、１つ以上の入力又は出力装置（一般的にユーザーインタフェース３４０６と呼ばれる）を含むことができる。そして、ユーザーインタフェース３４０６は、それぞれ、装置３３００へ入力、又は、装置３３００から出力できるように作動することができる。ユーザーインタフェースは、表示画面、タッチスクリーン、ボタン、音声入力装置及び音声出力装置の１つ以上を含むことができる。
【０１９０】
当業者は、本明細書において記載されている上記の公認の利点及び他の利点は単に例示的であって、本明細書において開示される各種実施形態の利点の全ての完全な表現であるという意味ではないと理解する。
【０１９１】
このように、例示的な実施形態に適用されるように基本的で新しい技術的特徴が示され、記載され、指し示される一方で、図示される端末装置及び方法の形及び詳細において、そして、それらの運用において、さまざまな省略、置換及び変更が、本開示の趣旨及び範囲を逸脱しない範囲で当業者によってなされることができることが理解されよう。
更に、同じ結果を成し遂げるために実質的に同じ方法で同じ機能を実質的に実行する、要素のすべての組合せが本発明の開示範囲内であることは明確に意図される。
さらに、本発明の開示されたいずれの形又は実施例に関連して示され及び／又は記載される構造又は要素が、デザインの選択肢の一般的な事項として、他のいずれの開示されるか、記載されるか、示唆される形又は実施例においても組み入れられることができると認識されなければならない。
よって、本明細書に追加される請求項の範囲により示されるようにのみ、制限されることを意図する。
【図１】
2018512091.tif 000004
【図２】
2018512091.tif 000005
【図３】
2018512091.tif 000006
【図４】
2018512091.tif 000007
【図５】
2018512091.tif 000008
【図６】
2018512091.tif 000009
【図７】
2018512091.tif 000010
【図８】
2018512091.tif 000011
【図９】
2018512091.tif 000012
【図１０】
2018512091.tif 000013
【図１１】
2018512091.tif 000014
【図１２】
2018512091.tif 000015
【図１３】
2018512091.tif 000016
【図１４】
2018512091.tif 000017
【図１５】
2018512091.tif 000018
【図１６】
2018512091.tif 000019
【図１７】
2018512091.tif 000020
【図１８】
2018512091.tif 000021
【図１９】
2018512091.tif 000022
【図２０】
2018512091.tif 000023
【図２１】
2018512091.tif 000024
【図２２】
2018512091.tif 000025
【図２３】
2018512091.tif 000026
【図２４】
2018512091.tif 000027
【図２５】
2018512091.tif 000028
【図２６】
2018512091.tif 000029
【図２７】
2018512091.tif 000030
【図２８】
2018512091.tif 000031
【図２９】
2018512091.tif 000032
【図３０】
2018512091.tif 000033
【図３１】
2018512091.tif 000034
【図３２Ａ】
2018512091.tif 000035
【図３２Ｂ】
2018512091.tif 000036
【図３２Ｃ】
2018512091.tif 000037
【図３２Ｄ】
2018512091.tif 000038
【図３２Ｅ】
2018512091.tif 000039
【図３２Ｆ】
2018512091.tif 000040
【図３２Ｇ】
2018512091.tif 000041
【図３２Ｈ】
2018512091.tif 000042
【図３２Ｉ】
2018512091.tif 000043
【図３２Ｊ】
2018512091.tif 000044
【図３２Ｋ】
2018512091.tif 000045
【図３２Ｌ】
2018512091.tif 000046
【図３２Ｍ】
2018512091.tif 000047
【図３２Ｎ】
2018512091.tif 000048
【図３２Ｏ】
2018512091.tif 000049
【図３２Ｐ】
2018512091.tif 000050
【図３３】
2018512091.tif 000051
【手続補正書】
【提出日】平成29年9月1日(2017.9.1)
【手続補正１】
【補正対象書類名】明細書
【補正対象項目名】０１３３
【補正方法】変更
【補正の内容】
【０１３３】
［表１］
2018512091.tif 000052
【手続補正２】
【補正対象書類名】図面
【補正対象項目名】全図
【補正方法】変更
【補正の内容】
【図１】
2018512091.tif 000053
【図２】
2018512091.tif 000054
【図３】
2018512091.tif 000055
【図４】
2018512091.tif 000056
【図５】
2018512091.tif 000057
【図６】
2018512091.tif 000058
【図７】
2018512091.tif 000059
【図８】
2018512091.tif 000060
【図９】
2018512091.tif 000061
【図１０】
2018512091.tif 000062
【図１１】
2018512091.tif 000063
【図１２】
2018512091.tif 000064
【図１３】
2018512091.tif 000065
【図１４】
2018512091.tif 000066
【図１５】
2018512091.tif 000067
【図１６】
2018512091.tif 000068
【図１７】
2018512091.tif 000069
【図１８】
2018512091.tif 000070
【図１９】
2018512091.tif 000071
【図２０】
2018512091.tif 000072
【図２１】
2018512091.tif 000073
【図２２】
2018512091.tif 000074
【図２３】
2018512091.tif 000075
【図２４】
2018512091.tif 000076
【図２５】
2018512091.tif 000077
【図２６】
2018512091.tif 000078
【図２７】
2018512091.tif 000079
【図２８】
2018512091.tif 000080
【図２９】
2018512091.tif 000081
【図３０】
2018512091.tif 000082
【図３１】
2018512091.tif 000083
【図３２Ａ】
2018512091.tif 000084
【図３２Ｂ】
2018512091.tif 000085
【図３２Ｃ】
2018512091.tif 000086
【図３２Ｄ】
2018512091.tif 000087
【図３２Ｅ】
2018512091.tif 000088
【図３２Ｆ】
2018512091.tif 000089
【図３２Ｇ】
2018512091.tif 000090
【図３２Ｈ】
2018512091.tif 000091
【図３２Ｉ】
2018512091.tif 000092
【図３２Ｊ】
2018512091.tif 000093
【図３２Ｋ】
2018512091.tif 000094
【図３２Ｌ】
2018512091.tif 000095
【図３２Ｍ】
2018512091.tif 000096
【図３２Ｎ】
2018512091.tif 000097
【図３２Ｏ】
2018512091.tif 000098
【図３２Ｐ】
2018512091.tif 000099
【図３３】
2018512091.tif 000100
【国際調査報告】
2018512091.tif 000101